【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
画定された環境内のモバイル機器の近接位置を決定する方法であって：
各々が、無線モジュールと、詳細な位置情報を格納するマイクロプロセッサとを有している、複数の位置タグを準備するステップ;
前記複数の位置タグとメッセージを送受信する基地局を準備するステップ;
使用中のモバイル機器から、該モバイル機器のレンジ内の各位置タグへのクエリを受信するステップ;
前記位置タグから前記モバイル機器に選択パラメータを送信するステップ;
前記基地局が前記選択パラメータに基づいて、前記複数の位置タグから前記モバイル機器に実際に最も近い位置タグを選択するステップ;及び
前記モバイル機器に実際に最も近い位置タグから前記詳細な位置情報をダウンロードし、これにより、前記モバイル機器の実際に最も近い位置を検出するステップ、
を備えている、モバイル機器の近接位置決定方法。
【請求項２】
前記基地局が前記選択パラメータに基づいて、前記複数の位置タグから前記モバイル機器に実際に最も近くにある位置タグを選択するステップは、前記モバイル機器のレンジ内の位置タグの数を最初に決定するステップを備え、
前記レンジ内に単一の位置タグしかない場合に、当該単一の位置タグを実際に最も近くにある位置タグとして選択するか、あるいは、
強制使用フラグを有する位置タグは、自動的に前記実際に最も近い位置タグとするか、あるいは、
前記実際に最も近くにある位置タグを選択するステップは、
前記モバイル機器のレンジ内にある複数の位置タグの設置箇所識別子を突き止めるステップ;
最多数の位置タグによって表される設置箇所識別子を突き止めるステップ;及び
前記最多数の位置タグによって表される設置箇所識別子を有している複数の位置タグを選択するステップ、
をさらに備えるか、あるいは、
前記実際に最も近くにある位置タグを選択するステップは、
前記モバイル機器のレンジ内にある複数の位置タグのフロア識別子を突き止めるステップ;
前記最多数の位置タグによって表されるフロア識別子を突き止めるステップ;
前記最多数の位置タグによって表されるフロア識別子を有している複数の位置タグを選択するステップ;
をさらに備え、設置箇所の各個々のフロアは、フロア識別子を有し、
前記最多数の位置タグによって2つより多いフロア識別子が表される場合には、前記設置箇所の最上、又は最下のフロアに位置するいずれもの位置タグを除外し、
前記最多数の位置タグによって引き続き、2つより多いフロア識別子が表される場合に、残存する最上及び最下フロアのいずれもの位置タグを除外することを繰り返すステップをさらに備えるか、あるいは、
前記実際に最も近くにある位置タグを選択するステップは、
前記モバイル機器を、シリアルポートのプロファイル接続を介して、各位置タグに接続するステップ;
前記モバイル機器のレンジ内にある複数の位置タグから受信信号強度を決定するステップ;
最も高い受信信号強度の値を決定するステップ;及び
前記最も高い受信信号強度を有する複数の位置タグを選択するステップ、
をさらに備え、
前記実際に最も近くにある位置タグを選択するステップは、
前記最も高い受信信号強度を有している複数の位置タグにおける最大電力の設定値を決定するステップ;
最も低い最大電力の設定値を決定するステップ;及び
前記最も低い最大電力の設定値を有する複数の位置タグを選択するステップ、
をさらに備え、
前記実際に最も近くにある位置タグを選択するステップは、1つの位置タグを適宜選択するステップをさらに備え、又は、
前記実際に最も近くにある位置タグを選択するステップは、
前記モバイル機器のレンジ内にある複数の位置タグの最大電力設定値を決定するステップ;
最も低い最大電力設定値を決定するステップ;
前記最も低い最大電力設定値を有する複数の位置タグを選択するステップ、
をさらに備え、
前記実際に最も近くにある位置タグを選択するステップは、
1つの位置タグを適宜選択するステップをさらに備えるか、あるいは、
前記実際に最も近くにある位置タグを選択するステップは、
前記複数の位置タグが、前記選択パラメータに基づいて単一の位置タグに絞られた際に達成される、請求項1に記載のモバイル機器の近接位置決定方法。
【請求項３】
位置タグにメッセージを送信する方法であって、
第1の位置タグでメッセージ信号を受信するステップ;
前記メッセージ信号が前記第1の位置タグへ向けられるかどうか決定するステップ;
前記メッセージ信号が前記第1の位置タグへ向けられない場合は、前記メッセージ信号を次の位置タグに転送するステップ;
前記メッセージ信号が次の位置タグへ向けられるかどうかを当該次の位置タグで決定するステップ;及び
前記メッセージ信号が前記受信する次の位置タグへ向けられない場合は、前記転送及び決定動作を繰り返すステップ、
を備えている、位置タグへのメッセージ送信方法。
【請求項４】
前記メッセージ信号が当該位置タグへ向けられる場合は、前記メッセージ信号を当該次の位置タグのレンジ内にある通信装置に送信するステップ、をさらに備えるか、あるいは、
各々の位置タグは、他の位置タグ、及び当該位置タグのレンジ内にある通信装置と通信するように動作可能なトランシーバを備え、前記メッセージ信号が当該位置タグへ向けられる場合は、前記メッセージ信号を当該次の位置タグのレンジ内にある通信装置に送信するステップ、をさらに備えている、請求項3に記載の位置タグへのメッセージ送信方法。
【請求項５】
所定のエリア内に位置する通信装置にメッセージを送信する方法であって、
前記所定のエリア内に位置する第1の位置タグでメッセージ信号を受信するステップ;
前記メッセージ信号が前記第1の位置タグへ向けられるかどうか決定するステップ;
前記メッセージ信号が前記第1の位置タグへ向けられない場合は、前記メッセージ信号を前記所定のエリアにある次の位置タグに転送するステップ;
前記メッセージ信号が次の位置タグへ向けられるかどうかを当該次の位置タグで決定するステップ;
前記メッセージ信号が前記受信する次の位置タグへ向けられない場合は、前記転送及び決定動作を繰り返すステップ;及び
前記メッセージ信号が当該位置タグへ向けられる場合は、前記メッセージ信号を当該次の位置タグのレンジ内にある通信装置に送信するステップ、
を備えている、通信装置へのメッセージ送信方法。
【請求項６】
位置タグにメッセージを送信するシステムであって、
第1の位置タグでメッセージ信号を受信するための手段;
前記メッセージ信号が前記第1の位置タグへ向けられるどうか決定するための手段;
前記メッセージ信号が前記第1の位置タグへ向けられない場合は、前記メッセージ信号を次の位置タグに転送するための手段;
前記メッセージ信号が次の位置タグへ向けられるかどうかを当該次の位置タグで決定するための手段;及び
前記メッセージ信号が前記受信する次の位置タグへ向けられない場合は、前記転送及び決定動作を繰り返すための手段、
を備えている、位置タグへのメッセージ送信システム。
【請求項７】
前記メッセージ信号が当該位置タグへ向けられる場合は、前記メッセージ信号を当該次の位置タグのレンジ内にある通信装置に送信するための手段、をさらに備えるか、あるいは、
各々の位置タグは、他の位置タグ、及び当該位置タグのレンジ内にある通信装置と通信するように動作可能なトランシーバを備え、前記メッセージ信号が当該位置タグへ向けられる場合は、前記メッセージ信号を当該次の位置タグのレンジ内にある通信装置に送信するための手段、をさらに備えている、請求項6に記載のシステム。
【請求項８】
前記所定のエリア内の異なる位置に位置付けられ、各々がタグ、マイクロプロセッサ、及びメモリを含んでいる複数の位置タグと;
第1のメッセージを受信し、且つ当該第1のメッセージを前記複数の位置タグの第1の位置タグに送信することができる基地局と;
を備え;
前記位置タグの各々は、受信メッセージが当該位置タグへ向けられるかどうかを決定すると共に、前記受信メッセージが当該位置タグへ向けられない場合は、前記受信メッセージを前記複数の位置タグの次のタグに送信することができ;且つ
各位置タグは、前記受信メッセージが当該位置タグに向けられる場合は、前記受信メッセージを、当該位置タグに知られている任意の通信デバイスに送信することができる、通信装置へのメッセージ送信システム。
【請求項９】
各位置タグは、当該位置タグのレンジ内の通信装置と通信することができ、且つ当該位置タグのレンジ内の任意の通信装置用の前記メモリに通信デバイス識別情報を格納することができる、請求項8に記載のシステム。
【請求項１０】
前記メッセージ信号は、全ての位置タグに向けられる、請求項3に記載の方法。
【請求項１１】
前記メッセージ信号は、全ての位置タグに向けられる、請求項5に記載の方法。
【請求項１２】
前記モバイル装置に実際に最も近くにある位置タグを選択する任意のモバイル装置のモバイル装置識別情報を格納するステップをさらに備えている、請求項1に記載の方法。